(57)【要約】【課題】  水分を含有したゴムベールを収納するための箱体であって、ゴムベールの保管中に析出する水分を閉じ込めることなく、よって水分によるゴムベールの品質低下を防止することができるという優れた特徴を有するゴムベール用箱体及び該箱体内に水分を含有したゴムベールを収納して保管するゴムベールの保管方法を提供する。【解決手段】  水分を含有したゴムベールを収納するための箱体であって、側壁面に開口部を有し、その開口率が１０〜９０％であるゴムベール用箱体。好ましい開口率は４０〜９０％であり、更に好ましくは開口率が７０〜９０％である。開口率が低すぎると前記の本発明が解決しようとする課題を解決することができず、一方開口率が高すぎると箱体自体の強度上の問題が発生する。開口率とは、側壁面の全面積に占める開口部分の合計面積の割合をいう。【選択図】  図１
2006193163.tif 000002
【特許請求の範囲】
【請求項１】
水分を含有したゴムベールを収納するための箱体であって、側壁面に開口部を有し、その開口率が１０〜９０％であるゴムベール用箱体。
【請求項２】
箱体の側壁面が強度補償用の柱部分のみからなる請求項１記載の箱体。
【請求項３】
ゴムベールと箱体の側壁との間に水分吸収体を有する請求項１記載の箱体。
【請求項４】
水分吸収体が段ボール紙である請求項３記載の箱体。
【請求項５】
箱体の底部の側壁部に開口部分を有しない側壁を有する請求項１記載の箱体。
【請求項６】
請求項１〜５のうちの一の請求項に記載の箱体内に水分を含有したゴムベールを収納して保管するゴムベールの保管方法。
【発明の詳細な説明】
【技術分野】
【０００１】
本発明は、ゴムベール用箱体及びゴムベールの保管方法に関するものである。更に詳しくは、本発明は、水分を含有したゴムベールを収納するための箱体であって、ゴムベールの保管中に析出する水分を閉じ込めることなく、よって水分によるゴムベールの品質低下を防止することができるという優れた特徴を有するゴムベール用箱体及び該箱体内に水分を含有したゴムベールを収納して保管するゴムベールの保管方法に関するものである。
【背景技術】
【０００２】
ゴムベールとは、ゴム製品に成形加工する前の合成ゴムからなり、通常約４０×７０×２０ｃｍ程度の直方体の固形体を言う。ゴムベールは、各種の添加物を配合して混練加工され、成形、加硫などの工程を経て、最終ゴム製品とされる。
【０００３】
製造されたゴムベールは、製造過程で用いられた水分を約０．１〜１．０重量％程度含有する。ゴムベールは箱体（コンテナ）に積み重ねて収納・保管されるのが一般である（特許文献１参照。）。ところが、保管中にゴムベールに含まれていた水分が析出し、該水分がゴムベールの表面に結露し、またコンテナの底部に溜まった水分はコンテナ底部に収納されたゴムベールを著しく濡らし、更に水分がゴムベール表面への黴（かび）の発生を促すという問題を発生し、よってゴムベールの品質を低下させるという不都合を生じていた。
【０００４】
【特許文献１】特開平８−１４３０９７号公報
【発明の開示】
【発明が解決しようとする課題】
【０００５】
かかる状況において、本発明が解決しようとする課題は、水分を含有したゴムベールを収納するための箱体であって、ゴムベールの保管中に析出する水分を閉じ込めることなく、よって水分によるゴムベールの品質低下を防止することができるという優れた特徴を有するゴムベール用箱体及び該箱体内に水分を含有したゴムベールを収納して保管するゴムベールの保管方法を提供する点にある。
【課題を解決するための手段】
【０００６】
すなわち、本発明のうち第一の発明は、水分を含有したゴムベールを収納するための箱体であって、側壁面に開口部を有し、その開口率が１０〜９０％であるゴムベール用箱体に係るものである。
また、本発明のうち第二の発明は、上記の箱体内に水分を含有したゴムベールを収納して保管するゴムベールの保管方法に係るものである。
【発明の効果】
【０００７】
本発明により、水分を含有したゴムベールを収納するための箱体であって、ゴムベールの保管中に析出する水分を閉じ込めることなく、よって水分によるゴムベールの品質低下を防止することができるという優れた特徴を有するゴムベール用箱体及び該箱体内に水分を含有したゴムベールを収納して保管するゴムベールの保管方法を提供することができる。
【発明を実施するための最良の形態】
【０００８】
本発明の箱体は、概ね直方体又は立法体の形状を有し、その大きさは、通常、縦１１０〜１２０ｃｍ×横１１０〜１５０ｃｍ×高さ９０〜１３０ｃｍ程度である。なお、上端部に蓋を有していてもよい。
【０００９】
本発明の箱体は、側壁面に開口部を有し、その開口率が１０〜９０％であり、好ましくは開口率が４０〜９０％であり、更に好ましくは開口率が７０〜９０％である。開口率が低すぎると前記の本発明が解決しようとする課題を解決することができず、一方開口率が高すぎると箱体自体の強度上の問題が発生する。
【００１０】
本発明の開口率とは、側壁面の全面積に占める開口部分の合計面積の割合をいう。
【００１１】
本発明の箱体の好ましい例として、箱体の側壁面が強度補償用の柱部分のみからなるもの（図１）をあげることができる。このようにすることにより、箱体自体の強度を十分に補償し、かつ水分による問題を解決できる。
【００１２】
開口部分は側壁面のある部分に集中しているより、側壁面全体に分布していることが好ましい。
【００１３】
本発明の箱体の好ましい例として、ゴムベールと箱体の側壁との間にダンボール紙などの水分吸収体を有するものをあげることができる。このことにより、析出した水分が水分吸収体に積極的に吸収して除去され、該吸収された水分は箱体の開口部から箱体の外部へ蒸散し、ゴムベール表面への水分の滞留を防止し、かつ箱体の外部からの埃の進入を防止することができる。なお、この場合の開口率の算出にあたっては、水分吸収体に覆われた開口部の面積は開口部分の面積に含めて算出する。
【００１４】
箱体の構成部分は、鉄等の金属、各種プラスチック等を用いることができる。本発明の箱体の具体例としては、特開平８−１４３０９７号公報に記載されたものの側壁に開口部を設けたものをあげることができる。
【００１５】
本発明の箱体内に水分を含有したゴムベールを収納して保管することにより、前記の本発明が解決しようとする課題が解決できる。なお、箱体をトラック等により運搬する際は、外部からの異物の進入を防止する観点から、側壁の全面を金属、プラスチック等の板で覆うことが好ましい。
【００１６】
本発明の箱体は、箱体の底部の側壁部に開口部分を有しないことが、底面に沿っての異物の進入を防止し、上記の板を嵌めて設置する際の嵌め込み作業の円滑性の観点から好ましい。
【００１７】
なお、ゴムベールは、通常、汚染を防止するため、ポリエチレン等のフィルム（通気用の小孔を有する場合もある。）に包んで箱体内に収納される。
【実施例】
【００１８】
次に本発明を実施例により説明する。
【００１９】
実施例１
図１に示す箱体（縦１１２．５ｃｍ×横１４５ｃｍ×高さ９５ｃｍ）を用いた。側壁面は強度補償用の柱（１）（スチール）からなる。全側壁面の面積は４．８９ｍ3であり、側壁面の開口部分の合計面積は４．２４ｍ3であり、よって開口率は８６．７％である。側壁面の内側をダンボール紙で覆い、ゴムベール（エチレン−プロピレン−非共役ジエン共重合体ゴム、約４０×７０×２０ｃｍ程度の直方体、初期の水分含有量は約１重量％）をポリエチレンフィルム（直径約０．７ｍｍの通気用の孔を約３０，０００個有する）で包んで箱体内に重ねて合計３０個収納した。同様に行った３０４個の箱体を４段に積み重ねた状態で７日間保管した後、箱体内及びゴムベールの表面を観察した。その結果、すべての箱体について、水分の滞留や結露は見られなかった。
【００２０】
比較例１
従来の箱体として、実施例１の箱体のダンボールに代えてスチール板を用いたこと以外は、実施例１と同様に行った。９９個の箱体を４段に積み重ねた状態で７日間保管した後、箱体内及びゴムベールの表面を観察した。その結果、すべての箱体について、箱体の底部に水分が滞留し、ゴムベールの表面に結露が見られた。
【図面の簡単な説明】
【００２１】
【図１】実施例１で用いた箱体の外観図である。
【符号の説明】
【００２２】
（１）  強度補償用柱
（２）  ダンボール紙
【図１】
2006193163.tif 000003
【手続補正書】
【提出日】平成17年10月7日(2005.10.7)
【手続補正１】
【補正対象書類名】明細書
【補正対象項目名】０００８
【補正方法】変更
【補正の内容】
【０００８】
本発明の箱体は、概ね直方体又は立方体の形状を有し、その大きさは、通常、縦１１０〜１２０ｃｍ×横１１０〜１５０ｃｍ×高さ９０〜１３０ｃｍ程度である。なお、上端部に蓋を有していてもよい。